(57)【要約】【課題】下屋を備えた建物において、設置工事を容易に行うことができるセントラル換気設備構造を提供すること。【解決手段】複数の階を有し、下屋３を備えた建物１において、外気を建物１内に供給し、建物１内の空気を建物１外に排気する換気装置４の換気ユニット４１を、下屋３の小屋裏３１に設置する。これによれば、本来デッドスペースである下屋３の小屋裏３１の有効活用ができ、天井懐より広い小屋裏３１に換気ユニット４１を設けるので、換気装置４の後付け設置が可能である。また、建物１外部から取り込んだ外気を供給する外気供給管４３および建物１内の空気を吸入する内気吸入管４４は、下屋３に隣接した居室に設けるので、配管作業および換気装置４の設置作業を容易にすることができる。【選択図】      図２
2004353892.tif 000002
【特許請求の範囲】
【請求項１】
複数の階を有する建物の居住空間を換気するために、前記建物内と外部との間を連通した配管と、前記配管に設けられるとともに外部の空気を前記建物内に取り込み、前記建物内の空気を前記建物外に排出する換気ユニットとを備えたセントラル換気設備構造であって、
前記建物は下屋を備え、
前記換気ユニットは、前記下屋の小屋裏に設けられていることを特徴とするセントラル換気設備構造。
【請求項２】
請求項１に記載のセントラル換気設備構造において、
前記配管は、前記換気ユニットに取り込まれた外気を前記建物内に供給する外気供給管を備え、
前記外気供給管は、前記換気ユニットから略水平方向に延びて設けられていることを特徴とするセントラル換気設備構造。
【請求項３】
請求項１または請求項２に記載のセントラル換気設備構造において、
前記建物内の空気を吸入する内気吸入口は、前記換気ユニットに一つ設けられ、
前記内気吸入口は、前記外気供給管が設けられた階とは別の階の天井に設けられていることを特徴とするセントラル換気設備構造。
【請求項４】
請求項１に記載のセントラル換気設備構造において、
前記建物の上階部は、居室と、前記居室と前記下屋の小屋裏との間に設けられた非居室空間とを備え、
前記配管は、前記換気ユニットに取り込まれた外気を前記建物内に供給する外気供給管を備え、
前記外気供給管は、前記建物の下階部の天井懐に配置され、その端部が前記上階部の居室に開口していることを特徴とするセントラル換気設備構造。
【請求項５】
請求項１、請求項２および請求項４のいずれかに記載のセントラル換気設備構造において、
前記建物の下階部は、複数の居室を有し、
前記配管は、前記換気ユニットに取り込まれた外気を前記建物内に供給する外気供給管を備え、
前記外気供給管は、前記下階部の天井懐に配置され、前記外気供給管の端部が前記下階部の居室の天井に開口していることを特徴とするセントラル換気設備構造。
【請求項６】
請求項１〜請求項５のいずれかに記載のセントラル換気設備構造において、
前記配管は、外気を前記換気ユニットに供給する外気吸入管および前記換気ユニットに集められた前記建物内の空気を前記建物外に排気する内気排出管を備え、
これらの外気吸入管および内気排出管は、前記下屋の軒下に開口していることを特徴とするセントラル換気設備構造。
【発明の詳細な説明】
【０００１】
【発明の属する技術分野】
本発明は、複数の階を有する建物内の換気をするためのセントラル換気設備構造に関する。
【０００２】
【背景技術】
建物内部の空調におけるエネルギー損失を少なくするために、建物内外の空気の出入りを遮断するという理由から、あるいは、建物外から建物内への遮音性の向上という理由から、近年の建物は高気密・高断熱化傾向にある。このような高気密・高断熱建物は、冷暖房効率および遮音性の向上が図られる反面、建物内で発生する汚染空気が滞留し、建物内環境の悪化を招いてきた。また、建物内外の空気の流れを遮断することは、湿気を含んだ空気による結露を生じさせ、木材等の建材の腐朽を促進させてきた。このような事情から、建物外部から外気を取込み、建物内部の空気と交換する換気設備の重要性が叫ばれてきた。
【０００３】
このような換気設備として、セントラル換気設備が利用されつつある。これは、換気ユニットから複数の建物内空間と建物外部とを連通するように配管し、建物外部から外気を導入して建物内部に供給し、かつ、建物内部の空気を建物外部に排気して換気をするものである。このようなセントラル換気設備の換気ユニットは、複数の階を備える建物においては、上階または下階の天井懐に設けるのが一般的である。（例えば、特許文献１および特許文献２参照）。
【０００４】
また、換気設備として、下屋の小屋裏に換気扇を設け、その小屋裏の換気を行って湿度調節をし、これにより結露等による木材等の住宅建材の腐朽を防止するという技術がある（例えば、特許文献３参照）。
【０００５】
【特許文献１】
特開平１０−３３１２７７号公報（第２項、図１）
【特許文献２】
特開２００２−２２２３６号公報（第３項、図１）
【特許文献３】
実願昭６０−１０５７５号（実開昭６１−１２７３３７号）のマイクロフィルム（図１）
【０００６】
【発明が解決しようとする課題】
このような特許文献１および特許文献２のセントラル換気設備では、換気ユニットを上階または下階の天井懐に設けるので、高さの低い天井内部でのセントラル換気設備設置の施工が煩雑となり、施工費用の増大を招くという課題がある。
また、既に建てられた建物に対しては、建物内部への配管作業が複雑となる。既に建てられた建物への設置は、そもそもセントラル換気設備を設置することを考慮されていない天井懐に換気ユニットを設置することとなる。従って、セントラル換気設備の既建造物への設置は困難であるという課題がある。
【０００７】
また、特許文献３のように、小屋裏に換気扇を設けて換気するという換気設備は、セントラル換気として必要な建物の内部居住空間全体の換気を意図するものではない。
【０００８】
ここで、下屋を有する複数階の建物があり、この建物において、合理的に設置できるセントラル換気設備の構造が望まれている。
【０００９】
本発明の目的は、下屋を備えた建物において、設置作業を容易に行うことができるセントラル換気設備構造を提供することである。
【００１０】
【課題を解決するための手段】
本発明のセントラル換気設備構造は、複数の階５、６を有する建物１の居住空間を換気するために、前記建物内と外部との間を連通した配管と、前記配管に設けられるとともに外部の空気を前記建物内に取り込み、前記建物内の空気を前記建物外に排出する換気ユニット４１とを備えたセントラル換気設備構造であって、前記建物は下屋３を備え、前記換気ユニットは前記下屋の小屋裏３１に設けられていることを特徴とする。
【００１１】
この発明によれば、本来用途の無い下屋の小屋裏に換気ユニットを設置するので、小屋裏の有効活用ができ、建物内に存在するデッドスペースをなくすことができる。
また、天井および床下よりスペースの広い小屋裏に換気ユニットを設けるので、設置の施工を容易にすることができるだけでなく、既に建てられた建物に対してもセントラル換気設備の設置が可能である。
【００１２】
換気ユニットを下屋の小屋裏に設け、小屋裏に隣接した建物内空間に対して、建物外部から取り込んだ外気を建物内に供給するための外気供給管や、建物内を流通した流通空気を取り込むための内気吸入管を設置し、それらを換気ユニットに接続するだけで、設置工事を終えることができる。また、上階の天井懐にセントラル換気設備の換気ユニットを設けた場合に比べ、内気吸入管などの配管の管長が短くなることから、下階からの建物内の流通空気を吸入する換気ユニットの力を抑えることができる。
【００１３】
本発明では、前記配管は、前記換気ユニットに取り込まれた外気を前記建物内に供給する外気供給管４３を備え、前記外気供給管は前記換気ユニットから略水平方向に延びて設けられていることが好ましい。
この発明によれば、上階の建物内部に開口した外気供給口へと外気を導く配管を上下方向に曲折せずに設置できるので、配管作業を容易にできるという効果がある。
【００１４】
本発明では、前記建物内の空気を吸入する内気吸入口４４Ａは前記換気ユニットに一つ設けられ、前記内気吸入口は前記外気供給管が設けられた階６とは別の階５の天井５２に設けられていることが好ましい。
この発明によれば、内気吸入口は一つであるので、外気供給口から供給された空気が建物内を流通し、内気吸入口へ導かれる空気の流れが互いに干渉しないので、換気効率を向上することができる。また、外気供給口から建物内部に導入された空気は、別の階に設けられた内気吸入口へと導かれ、建物内に設けられた階段等を利用して上下階を流通することとなるので、換気効率が向上する。
【００１５】
あるいは、本発明では、前記建物の上階部６は、居室６１と、前記居室と前記下屋の小屋裏との間に設けられた非居室空間６３とを備え、前記配管は、前記換気ユニットに取り込まれた外気を前記建物内に供給する外気供給管４３１を備え、前記外気供給管は、前記建物の下階部５の天井懐５３に配置され、その端部が前記上階部の居室に開口していることが好ましい。
この発明によれば、外気供給管を下階部の天井懐に配置するので、下屋の小屋裏と上階居室が隣接していない場合に対応することができる。また、使用用途のない下階部の天井懐を利用するので、建物内のデッドスペースの有効活用を図ることができる。
【００１６】
本発明では、前記建物の下階部は、複数の居室５１を有し、前記配管は、前記換気ユニットに取り込まれた外気を前記建物内に供給する外気供給管４３２を備え、前記外気供給管は、前記下階部の天井懐５３に配置され、前記外気供給管の端部が前記下階部の居室の天井５２に開口していることが好ましい。
この発明によれば、外気供給管を下階部の天井に配置するので、下階部に居室が複数設けられている場合にも対応することができ、また、デッドスペースである下階部の天井懐の有効活用を図ることができる。
【００１７】
本発明では、前記配管は、外気を前記換気ユニットに供給する外気吸入管４２および前記換気ユニットに集められた前記建物内の空気を前記建物外に排気する内気排出管４５を備え、これらの外気吸入管および内気排出管は、前記下屋の軒下３２に開口していることが好ましい。
この発明によれば、建物内のデッドスペースであった下屋の軒下を有効活用できるだけでなく、外気吸入口および内気排出口を目立たなくすることができるので、建物の外観が損なわれることを防ぐことができる。
【００１８】
【発明の実施の形態】
以下、本発明の実施形態を図面に基づいて説明する。
図１および図２には、本発明の第一実施形態におけるセントラル換気設備構造が示されており、図３には第一実施形態におけるセントラル換気設備構造の要部が示されている。以下、第一実施形態におけるセントラル換気設備構造を説明する。
【００１９】
図１〜図３において、建物１は、内外の空気の流れを遮断し、空調におけるエネルギー損失を少なくするために、気密性および断熱性を高めた高気密・高断熱住宅である。
建物１は、基礎２上に設けられた下階部である一階部５と、上階部である二階部６と、一階部５と二階部６とを接続する階段７と、屋根８と、一階部５と水平方向に隣り合った下屋３とを備えている。
一階部５には、一階居室５１、一階天井５２、および、一階天井懐５３が設けられている。二階部６には、二階居室６１が二室並んで設けられている。また、下屋３の上には小屋裏３１および軒下３２が設けられている。この小屋裏３１には、小屋裏３１と二階部６とに挟まれた側壁６２近傍に、換気装置４が設けられている。なお、第一実施形態では、二階居室６１は、それぞれ小屋裏３１と隣接している。
【００２０】
換気装置４は、建物１の外部から外気を吸入し、小屋裏３１に隣接した二階居室６１に取り込んだ外気を供給し、一階居室５１から建物１内を流通した空気を吸入し、建物１外部に排気する構成のセントラル換気装置である。換気装置４は、建物１内外の換気を行う換気ユニット４１と、建物１内に外気を供給する給気系の配管および建物１外に建物１内の流通空気を排気する排気系の配管とを備えている。
【００２１】
換気ユニット４１には、建物１外部から取り入れる空気、および、建物１内から建物１外部に排気される空気を互いに熱交換するための図示しない全熱交換機が設けられている。この全熱交換機を備えることによって、例えば、夏季であれば温度と湿度を下げ、冬季であれば両者を上げることができるようになっている。また、換気ユニット４１には、換気を行うための図示しないファンと防塵フィルタが設けられている。これらのファンは、給気系および排気系の配管４２〜４５に応じて設けられており、防塵フィルタは、これら配管の換気ユニット４１側に設けられている。なお、換気ユニット４１による建物１内外への外気の供給・排出量は、建物１の住人等が当該風を感じることがほとんどない程度の快適な流量としている。
換気ユニット４１は、図１〜３に示すように、側壁６２近傍で、二つ設けられた二階居室６１の中間に位置するように配置されている。
【００２２】
給気系の配管は、建物１外部から外気を取り込むための外気吸入管４２と、取込まれた外気を建物１内に供給するための外気供給管４３とから構成される。
【００２３】
外気吸入管４２は、下屋３の軒下３２に開口した外気吸入口４２Ａを介して、建物１外部と換気ユニット４１とを連通しており、外気吸入口４２Ａから取り込んだ空気を換気ユニット４１に導くものである。外気吸入口４２Ａには、その開口部分に図示しないガラリが設けられており、外気を取り込む際に、小動物や異物等が侵入しないようになっている。
この構成から、換気ユニット４１内に設けられたファンにより、建物１外の空気は、外気吸入口４２Ａを介して外気吸入管４２を経て吸入される。
【００２４】
外気供給管４３は、換気ユニット４１に二本接続されており、それぞれの外気供給管４３は、換気ユニット４１から略水平方向に延出している。外気供給管４３の一端は、小屋裏３１に隣接したそれぞれ別の二階居室６１に開口し、外気供給口４３Ａを形成している。これにより、それぞれの外気供給口４３Ａは、側壁６２の二階居室６１側下部に開口している。これらの外気供給口４３Ａは、異物等の侵入防止のためにガラリ４６によって覆われている。
この構成により、外気吸入管４２で取り込まれた建物１外部の空気は、換気ユニット４１のファンにより外気供給管４３に送られ、外気供給口４３Ａを介して建物１内部に供給される。
【００２５】
排気系の配管は、建物１内部からの流通空気の取り込むための内気吸入管４４と、取り込んだ建物１内部の空気を建物１外部に排気するための内気排出管４５とから構成されている。
【００２６】
内気吸入管４４は、換気ユニット４１の下部に設けられ、その一端は換気ユニット４１の直下に位置する一階居室５１の一階天井５２に一つだけ開口しており、内気吸入口４４Ａを形成している。また、この内気吸入口４４Ａは、異物等の侵入を防ぐため、ガラリ４７によって覆われている。
この構成により、外気供給管４３によって換気ユニット４１から建物１内に供給された外気は、建物１内部を流通し、内気吸入口４４Ａから内気吸入管４４を経て換気ユニット４１に吸入される。
【００２７】
内気排出管４５は、換気ユニット４１から建物１外部に向かって延出し、建物１外部に開口して内気排出口４５Ａを形成している。この内気排出口４５Ａには、小動物や異物等が侵入しないように図示しないガラリが設けられている。なお、内気排出口４５Ａは、外気吸入口４２Ａと同様に、下屋３の軒下３２に開口している。
この構成により、内気吸入管４４で吸入された建物１内を流通した空気は、換気ユニット４１により、内気排出管４５に送風され、内気排出口４５Ａを経て建物１外部に排気される。
【００２８】
前述のような第一実施形態によれば、次のような効果がある。
【００２９】
（１）換気装置４の換気ユニット４１を下屋３の小屋裏３１に設けたので、本来用途の無い小屋裏３１を有効活用することができ、建物１内のデッドスペースをなくすことができる。また、小屋裏３１は天井懐よりスペースが広いので、換気ユニット４１の設置を容易にすることができる。さらに、小屋裏３１のスペースが広いことから、換気装置４の設置が考慮されていない、下屋３を備えた既建造物に対しても換気装置４の後付け設置が可能である。
【００３０】
（２）建物１の居室に対する配管に関しては、小屋裏３１に隣接した建物１の居室に対して外気供給管４３や内気吸入管４４を設置し、小屋裏３１に設けた換気ユニット４１に接続するだけで、配管工事を終えることができる。また、上階である二階部６の天井懐に換気ユニット４１を設け、内気吸入口４４Ａが一階天井５２に開口している場合に比べ、内気吸入管４４の管長が短くなることから、建物１の内部を流通する空気を一階部５から吸入する換気ユニット４１の吸引力を抑えることができる。同様に、一階部５の床下に換気ユニット４１を設けた場合と比較しても、配管の管長を短くできるだけでなく、外気の供給および内気の吸入に要する換気ユニット４１の力を抑えることができる。
【００３１】
（３）外気供給管４３は、換気ユニット４１から略水平方向に延出して形成されているので、外気供給管４３を二階居室６１の天井に開口させる場合のように、外気供給管４３を上下方向に曲折して配置しないので、配管作業を容易にすることができる。また、建物１に複数の二階居室６１が小屋裏３１に隣接して設けられている場合において、二階居室６１の中間に換気ユニット４１を配置すれば、外気供給管４３の管長を短くすることができる。また、外気供給口４３Ａは、建物１内の居室ごとに設けられるので、居室ごとに外気が供給され、建物１全体の換気効率を向上することができる。
【００３２】
（４）内気吸入口４４Ａは、外気供給管４３が設けられた二階部６とは別の階である一階部５の一階天井５２にただ一つだけ設けられているので、建物１内を流通する空気の流れが互いに干渉しない。すなわち、内気吸入口４４Ａを１つ、別の階に設けたことで、建物１全体の空気の流れが集約する。このため、建物１内に供給された空気は、外気供給口４３Ａが設けられた二階居室６１から、階段７を経て一階部５に流通し、一階居室５１の内気吸入口４４Ａへと干渉せずに流れることとなるので、建物１内の換気効率が向上する。また、内気吸入口４４Ａを換気ユニット４１の直下に設けることにより、内気吸入管４４の管長を必要最低限の長さとすることができる。
【００３３】
（５）外気吸入管４２および内気排出管４５は、下屋３の軒下３２に開口しているので、建物１内のデッドスペースであった下屋３の軒下３２を有効活用できる。また、軒下３２に外気吸入口４２Ａおよび内気排出口４５Ａが開口していることにより、開口部が建物１外部において目立たないので、換気装置４の設置によって建物１の外観が損なわれることを防ぐことができる。
【００３４】
次に、本発明の第二実施形態を図４に基づいて説明する。なお、第二実施形態の説明において、第一実施形態と同一または相当と思われる構成に関しては、同じ符号を付し、説明を省略もしくは簡略する。
【００３５】
図４には、第二実施形態におけるセントラル換気設備構造が示されている。第二実施形態では、建物１には、小屋裏３１と二階居室６１との間に、廊下や物置などの非居室空間６３が設けられている。外気を二階居室６１に供給する外気供給管４３１は、換気ユニット４１から側壁６２に向かって水平方向に延出し、その側壁６２に沿って略垂下した後、一階天井懐５３に配置されている。この外気供給管４３１の一端は、二階居室６１に開口しており、外気供給口４３１Ａを形成している。なお、外気供給管４３１は、換気ユニット４１から略垂下して一階天井懐５３に設けられる構成でもよい。
このような第二実施形態によれば、前記第一実施形態の（１）、（４）および（５）と同様の作用効果を奏することができるほかに、次の作用効果を奏することができる。
すなわち、（６）一階天井懐５３に外気供給管４３１を配置したので、下屋３と二階居室６１が隣接していなくても、外気を供給することができる。また、一階天井懐５３は、本来、デッドスペースであるので、建物１の内部空間の有効活用を図ることができる。
【００３６】
次に、本発明の第三実施形態を図５に基づいて説明する。なお、第三実施形態の説明において、第一実施形態および第二実施形態と同一または相当と思われる構成に関しては、同じ符号を付し、説明を省略もしくは簡略する。
【００３７】
図５には、第三実施形態におけるセントラル換気設備構造が示されている。第三実施形態では、建物１は複数の一階居室５１を備えている。外気を一階居室５１および二階居室６１に供給する外気供給管４３２は、一階天井懐５３に配置され、一端は換気ユニット４１に接続されている。外気供給管４３２の他端は、一階居室５１の一階天井５２および二階居室６１に開口し、それぞれ外気供給口４３２Ａを形成している。なお、図５では、外気供給管４３２は、換気ユニット４１から側壁６２に向かって水平方向に延出した後、略垂下しているが、換気ユニット４１から略垂下して一階天井懐５３に設けられる構成でもよい。
このような第三実施形態によれば、前記第一、第二実施形態の（１）、（５）、（６）と同様の作用効果を奏することができるほか、次の作用効果を奏することができる。
すなわち、（７）一階天井懐５３に外気供給管４３２を配置し、一階居室５１の一階天井５２に外気供給口４３２Ａを形成したので、複数の一階居室５１を備えた建物１において、それぞれの居室に外気を供給できる。また、前記第二実施形態と同様に、建物１内のデッドスペースの有効活用を図ることができるほか、二階居室６１に対しても同様の配管を行えば、一階部５および二階部６に複数の居室を有する建物１内部の居室すべてに外気を供給することができる。
【００３８】
なお、本発明は前述の実施の形態に限定されるものではなく、本発明の目的を達成できる範囲での変形、改良等は本発明に含まれるものである。
【００３９】
前記第一実施形態では、外気供給管４３を換気ユニット４１から略水平方向に延ばして設け、また、前記第二、第三実施形態では、外気供給管４３１、４３２を一階天井懐５３に配置したが、本発明は、これらを組み合わせた配管をも含むものである。すなわち、建物１内に配置される配管は、建物１の構造や居室のレイアウトなどを考慮して適宜決定してよい。例えば、下屋３の小屋裏３１に隣接した二階居室６１と、小屋裏３１との間に非居室空間６３が設けられるなどして、小屋裏３１に隣接していない二階居室６１とを備えた建物１があるとする。この場合、小屋裏３１に隣接した二階居室６１への配管は、換気ユニット４１から略水平方向に延出して外気供給管４３を設けるようにしてもよい。また、小屋裏３１と隣接していない二階居室６１への配管は、一階天井懐５３に外気供給管４３１を配置して、それぞれの居室に外気を供給するようにしてもよい。このようにすれば、すべての二階居室６１に外気を供給できる。
【００４０】
前記各実施形態では、内気吸入口４４Ａは換気ユニット４１の直下に設けるとしたが、本発明はこれに限らない。すなわち、内気吸入口４４Ａの開口位置は、換気効率、下屋３の建物１における位置、および、居室のレイアウトなどから、適宜決めてよい。例えば、複数の一階居室５１を備えた建物１において、換気ユニット４１の直下が一階居室５１の側壁である場合には、内気吸入管４４を折り曲げて、該一階居室５１の中心の一階天井５２に内気吸入口４４Ａを設けてもよい。なお、内気吸入口４４Ａを換気ユニット４１の直下に開口する構成であれば、内気吸入管４４の折り曲げ等の施工が不要であり、また、内気吸入管４４の管長を短くするとともに、換気ユニット４１の吸引力を抑えることができる。
【００４１】
前記各実施形態では、建物１は一階部５および二階部６の二つの階を備えたものとしたが、本発明は、下屋３を備えた三つ以上の階を備えた建物に採用してもよい。例えば、建物１には一階部５と水平方向に隣接した下屋３が設けられ、建物１は三つ以上の階を備えている場合に、本発明を採用してもよい。このような場合、配管は、下屋３の小屋裏３１から建物１の側壁内に配置し、三階以上の階に設けられた居室に開口するようにすればよい。また、下屋３が二階部６以上の階に隣接して設けられている場合も同様に、小屋裏３１が隣接した階の上階およびそれ以下の下階への配管は、建物１に設けられた側壁内に配置すればよい。
【００４２】
前記各実施形態では、配管と換気ユニット４１との取付位置は図１〜図５に示す位置に示しているが、本発明はこれに限らない。例えば、内気吸入管４４を換気ユニット４１の側面に取り付ける構造の換気ユニット４１であってもよい。
【００４３】
前記各実施形態では、換気ユニット４１に外気供給管４３、４３１、４３２のいずれかを各居室ごとに設けたが、本発明はこれに限らない。すなわち、外気供給管４３、４３１、４３２は、その中間部で分岐して各居室に開口し、外気を各居室内に供給するような構成であっても構わない。
【００４４】
前記各実施形態では、換気ユニット４１を設けるのは下屋３の小屋裏３１としているが、本発明では、下階部が上階部よりも略水平方向に延出して構成されている建物１に採用しても良い。例えば、延出部分に換気ユニット４１を設け配管をすれば、設置の施工を終えることができる。この際、雨、風および直射日光の影響を考慮して、新たに屋根を設けてもよい。
【００４５】
前記各実施形態では、配管に設けられる防塵フィルタは、換気ユニット４１側に設けられるとしたが、本発明はこれに限らない。すなわち、それぞれの配管の開口部に設けてもよい。なお、換気ユニット４１に防塵フィルタを設けた場合、防塵フィルタの交換を一箇所で行えるため、交換作業が容易である。
【００４６】
【発明の効果】
前述のように、本発明によれば、以下の効果を奏することができる。
【００４７】
請求項１記載の発明によれば、換気装置の換気ユニットを、本来用途のない下屋の小屋裏に設けるので、建物内のデッドスペースをなくすことができる。また、小屋裏は天井懐よりスペースが広いので、換気ユニットの設置を容易にすることができ、既建造物に対しても換気設備を後付け設置できる。建物の居室に対する配管に関しては、小屋裏に隣接した建物の居室に対して外気供給管や内気吸入管を設置し、小屋裏の設けた換気ユニットに接続するだけで、配管作業を終えることができる。
【００４８】
請求項２記載の発明によれば、外気供給管を換気ユニットから略水平方向に設けるので、配管を上下方向に曲折させる必要がなく、配管の施工を容易にすることができる。
【００４９】
請求項３記載の発明によれば、内気吸入口は、外気供給口が設けられた階とは別の階に一つ設けられているので、外気供給口から供給された空気が、階段などを利用して別の階に設けられた内気吸入口へと建物内を流通し、その空気の流れは互いに干渉しないので、換気効率を向上することができる。
【００５０】
請求項４記載の発明によれば、下階部の天井懐に外気供給管を配置し、外気供給口を上階部の居室に開口させるので、上階部の居室のレイアウトに合わせて配管することができる。そして、デッドスペースであった下階部の天井懐を有効活用することができる。
【００５１】
請求項５記載の発明によれば、下階部の天井懐に外気供給管を配置し、外気供給口を下階部の居室の天井に開口させるので、下階部の居室のレイアウトに合わせて配管することができる。そして、デッドスペースであった下階部の天井懐を有効活用することができる。
【００５２】
請求項６記載の発明によれば、外気吸入管および内気排出管は、下屋の軒下に開口しているので、建物内のデッドスペースであった下屋の軒下を有効活用できるだけでなく、外気吸入口および内気排出口を目立たなくすることができる。
【図面の簡単な説明】
【図１】本発明の第一実施形態に係るセントラル換気設備構造を示す概要斜視図。
【図２】前記第一実施形態のセントラル換気設備構造を示す断面図。
【図３】前記第一実施形態のセントラル換気設備構造の要部を示す断面図。
【図４】本発明の第二実施形態に係るセントラル換気設備構造を示す断面図。
【図５】本発明の第三実施形態に係るセントラル換気設備構造を示す断面図。
【符号の説明】
１…建物
３…下屋
４…換気装置（セントラル換気設備構造）
５…一階部（下階部）
６…二階部（上階部）
３１…小屋裏
３２…軒下
４１…換気ユニット
４２…外気吸入管
４３、４３１、４３２…外気供給管
４５…内気排出管
５１…一階居室（下階部の居室）
５２…一階天井（天井）
５３…一階天井懐（天井懐）
６１…二階居室（上階部の居室）
６３…非居室空間
４４Ａ…内気吸入口
【図１】
2004353892.tif 000003
【図２】
2004353892.tif 000004
【図３】
2004353892.tif 000005
【図４】
2004353892.tif 000006
【図５】
2004353892.tif 000007